(57)【要約】【課題】表示の視認性が向上した洗濯機を提供する。【解決手段】洗濯機１０は、下部筐体１１および上部筐体１２からなり洗濯物投入口が形成された本体筺体と、洗濯物投入口を覆う蓋体１３とを備えている。蓋体１３には操作パネル１３１が設けられ、操作パネル１３１は表示部を備えている。さらに、洗濯機１０は、表示部が表示を行う面と異なる箇所に設けられ、表示部が表示する情報の少なくとも一部分を表示する機能を有する電源表示用補助発光部２０を備えている。【選択図】図２
2020175012.tif 000002
【特許請求の範囲】
【請求項１】
洗濯物投入口が形成された本体筺体と、
前記洗濯物投入口を覆う蓋体と、
前記蓋体に設けられ、表示を行う表示部と、
前記表示部が表示を行う面と異なる箇所に設けられ、前記表示部が表示する情報の少なくとも一部分を表示する機能を有する補助表示部とを備えた洗濯機。
【請求項２】
請求項１に記載の洗濯機であって、
前記補助表示部は、当該洗濯機の正面方向から視認できる領域に設けられている洗濯機。
【請求項３】
請求項１または２に記載の洗濯機であって、
前記表示部は、前記蓋体が開放状態のときに、当該蓋体によって視認が妨げられる位置に設けられている洗濯機。
【請求項４】
請求項１から３の何れか１項に記載の洗濯機であって、
前記表示部は、当該洗濯機への指示を入力する入力部と一体的に設けられている洗濯機。
【請求項５】
請求項１から４の何れか１項に記載の洗濯機であって、
本体筐体に設けられ、当該洗濯機の主電源のオンまたはオフを切り替える主電源スイッチを備え、
前記補助表示部は、前記主電源スイッチと一体的に設けられており、該主電源スイッチのオンまたはオフを表示する機能を有する洗濯機。
【請求項６】
請求項１から５の何れか１項に記載の洗濯機であって、
表示を行う装置表示部を有する付属装置を着脱自在に保持する保持部を備えており、
前記補助表示部は、前記装置表示部が表示する情報の少なくとも一部分を表示する機能を有している洗濯機。
【請求項７】
洗濯物投入口が形成された本体筺体と、
前記洗濯物投入口を覆う蓋体と、
表示を行う装置表示部を有する付属装置を着脱自在に保持する保持部と、
前記装置表示部が表示する情報の少なくとも一部分を表示する補助表示部と備えた洗濯機。
【請求項８】
請求項６または７に記載の洗濯機であって、
前記保持部は、前記蓋体が開放状態のときに該蓋体によって視認が妨げられる位置に設けられている洗濯機。
【発明の詳細な説明】
【技術分野】
【０００１】
本発明は、表示を行う表示部を有する洗濯機に関する。
【背景技術】
【０００２】
従来から、操作パネルが設けられた蓋を有する洗濯機が知られている（例えば、特許文献１）。
【先行技術文献】
【特許文献】
【０００３】
【特許文献１】特開２０１７−１３１４２５号公報
【発明の概要】
【発明が解決しようとする課題】
【０００４】
特許文献１の構成では、蓋を開閉させたときに、操作パネルの視認が困難となる場合がある。
【０００５】
本発明は、上記課題に鑑みてなされたものであり、表示の視認性が向上した洗濯機を提供することを目的とする。
【課題を解決するための手段】
【０００６】
上記の課題を解決するために、本発明の第１の態様に係る洗濯機は、洗濯物投入口が形成された本体筺体と、前記洗濯物投入口を覆う蓋体と、前記蓋体に設けられ、表示を行う表示部と、前記表示部が表示を行う面と異なる箇所に設けられ、前記表示部が表示する情報の少なくとも一部分を表示する機能を有する補助表示部とを備えたことを特徴としている。
【０００７】
上記の構成によれば、蓋体の開閉によって表示部の視認性が悪化したときであっても、表示部が表示する情報の少なくとも一部分を補助表示部に表示することができるため、表示の視認性が向上する。
【０００８】
また、上記洗濯機では、前記補助表示部は、当該洗濯機の正面方向から視認できる領域に設けられている構成とすることができる。
【０００９】
上記の構成によれば、洗濯機の正面方向から視認できる領域に補助表示部が設けられているため、補助表示部の視認性が向上する。
【００１０】
また、上記洗濯機では、前記表示部は、前記蓋体が開放状態のときに、当該蓋体によって視認が妨げられる位置に設けられている構成とすることができる。
【００１１】
上記の構成によれば、蓋体が開放状態のときに、当該蓋体によって表示部の視認が妨げられるため、補助表示部によって視認性が向上する効果が顕著となる。
【００１２】
また、上記洗濯機では、前記表示部は、当該洗濯機への指示を入力する入力部と一体的に設けられている構成とすることができる。
【００１３】
上記の構成によれば、表示部と入力部とが一体的に設けられていることにより、洗濯機の操作性が向上する。
【００１４】
また、上記洗濯機は、本体筐体に設けられ、当該洗濯機の主電源のオンまたはオフを切り替える主電源スイッチを備え、前記補助表示部は、前記主電源スイッチと一体的に設けられており、該主電源スイッチのオンまたはオフを表示する機能を有する構成とすることができる。
【００１５】
上記の構成によれば、主電源スイッチのオンまたはオフを容易に確認することができる。
【００１６】
また、上記洗濯機は、表示を行う装置表示部を有する付属装置を着脱自在に保持する保持部を備えており、
前記補助表示部は、前記装置表示部が表示する情報の少なくとも一部分を表示する機能を有している構成とすることができる。
【００１７】
上記の構成によれば、洗濯機において付属装置を搭載する場合に、付属装置における装置表示部の表示の視認性が向上する。
【００１８】
本発明の第２の態様に係る洗濯機は、洗濯物投入口が形成された本体筺体と、前記洗濯物投入口を覆う蓋体と、表示を行う装置表示部を有する付属装置を着脱自在に保持する保持部と、前記装置表示部が表示する情報の少なくとも一部分を表示する補助表示部と備えたことを特徴としている。
【００１９】
また、上記洗濯機では、前記保持部は、前記蓋体が開放状態のときに該蓋体によって視認が妨げられる位置に設けられている構成とすることができる。
【発明の効果】
【００２０】
本発明によれば、表示の視認性が向上した洗濯機を得ることができる。
【図面の簡単な説明】
【００２１】
【図１】実施の形態１に係る洗濯機の外観を示す斜視図である。
【図２】蓋体が開放された状態の上部筐体および蓋体の斜視図である。
【図３】電源表示用補助発光部の構造例を示す断面図である。
【図４】電源表示用補助発光部としての機能を兼用する主電源スイッチを示す平面図である。
【図５】電源表示用補助発光部としての機能を兼用する主電源スイッチの構造例を示す断面図であり、（ａ）は主電源スイッチの内部に発光領域を設ける場合、（ｂ）は主電源スイッチの周囲に発光領域を設ける場合を示している。
【発明を実施するための形態】
【００２２】
〔実施の形態１〕
以下、本発明の実施の形態について、図面を参照して詳細に説明する。図１は、本実施の形態１に係る洗濯機１０の外観を示す斜視図である。図１に示すように、洗濯機１０の外観は、洗濯機１０の本体筐体を構成する下部筐体１１および上部筐体１２と、蓋体１３とによって構成されている。下部筐体１１は、本体筐体の大部分をなすものである。上部筐体１２は、下部筐体１１の上方に配置されるものである。蓋体１３は、上部筐体１２の上面に取り付けられるものであり、上部筐体１２上面の洗濯物投入口を開閉可能に覆うように設けられている。
【００２３】
本実施の形態１に係る洗濯機１０において、蓋体１３は、折り畳み式ではない、一体物の蓋とされている。すなわち、蓋体１３は、１枚つづきの板のような折れ目のない平板形状を有している。尚、蓋体１３は、折れ目が形成された折り畳み式のものであってもよい。蓋体１３の上面には操作パネル１３１が備えられる。一例として、蓋体１３の天面をガラス板で形成し、その内側に操作回路を設けて、タッチパネル式の操作パネル１３１を蓋体１３に備えることが考えられる。操作パネル１３１は、洗濯機１０の電源が入っているときには、何らかの表示を行うことで洗濯機１０が電源オン状態であることを示す。一方、洗濯機１０の電源が入っていないときには、操作パネル１３１にて一切の表示を行わないことで洗濯機１０が電源オフ状態であることを示す。尚、洗濯機１０では、表示部と（洗濯機１０への指示を入力する）入力部とが一体となったタッチパネル式の操作パネル１３１を例示しており、この操作パネル１３１が特許請求の範囲に記載の表示部に相当する。しかしながら、本発明はこれに限定されるものではない。例えば、表示部と入力部との機能を分離し、表示部のみが蓋体１３に設けられる構成であってもよい。
【００２４】
また、操作パネル１３１は、特にタッチパネル式に限定されるものではなく、各種操作ボタンを備えた操作パネルであってもよい。この場合は、操作パネル１３１に電源表示用のＬＥＤなどを設け、洗濯機１０の電源が入っているときにはＬＥＤを点灯させ、洗濯機１０の電源が入っていないときにはＬＥＤを消灯させることで、洗濯機１０の電源のオン／オフ状態を示すことができる。
【００２５】
蓋体１３の上面に設けられた操作パネル１３１にて洗濯機１０の電源のオン／オフ状態を示すのみでは、蓋体１３を開放したときにユーザから操作パネル１３１が見えなくなり、ユーザは電源のオン／オフ状態を認識できなくなる。このため、本実施の形態１に係る洗濯機１０は、蓋体１３を開放したときにユーザから見える位置に、電源のオン／オフ状態を表示する機能を有している。これにより、ユーザは、蓋体１３の開放時にも洗濯機１０の電源のオン／オフ状態を確認することができる。尚、蓋体１３を開放したときにユーザから見える位置とは、洗濯機１０の正面方向から視認できる位置を指すものとする。また、洗濯機１０の正面方向とは、真正面に限定されるものではなく、真正面から左右９０°未満の範囲内で斜めに傾いた方向をも含む概念である。
【００２６】
図２は、蓋体１３が開放された状態の上部筐体１２および蓋体１３の斜視図である。本実施の形態１に係る洗濯機１０は、蓋体１３を開放したときにもユーザから視認可能な領域に、少なくとも１つの電源表示用補助発光部２０（図３参照）を設けるものであり、図２では、電源表示用補助発光部２０の好適な配置領域の例として領域Ａ１〜Ａ６を図示している。すなわち、洗濯機１０において、電源表示用補助発光部２０は、領域Ａ１〜Ａ６の何れかに設けられることが好ましい。尚、洗濯機１０における電源表示用補助発光部２０の数が複数の場合は、領域Ａ１〜Ａ６の中の複数の領域に電源表示用補助発光部２０が設けられていてもよい。本実施の形態１に係る洗濯機１０では、電源表示用補助発光部２０が特許請求の範囲に記載の補助表示部に相当する。
【００２７】
電源表示用補助発光部２０は、洗濯機１０の電源がオンのときには点灯し、洗濯機１０の電源がオフのときには消灯することで、洗濯機１０の電源のオン／オフ状態を示すことができる。すなわち、電源表示用補助発光部２０は、表示部である操作パネル１３１とは異なる箇所に設けられ、操作パネル１３１が表示する情報の少なくとも一部分を表示する機能を有する。尚、洗濯機１０において、領域Ａ１〜Ａ６は上部筐体１２および蓋体１３の何れかに設けられるものであるため、図２では下部筐体１１の図示を省略している。以下に、領域Ａ１〜Ａ６のそれぞれの位置と、その位置に電源表示用補助発光部２０を設けることのメリットについて具体的に説明する。
【００２８】
（１）領域Ａ１：蓋体１３の側面における周囲領域（前方側面、左側面、右側面など）を領域Ａ１とする。蓋体１３の開放時にユーザから見える側面であれば、電源表示用補助発光部２０の配置領域とすることができる。
【００２９】
蓋体１３に操作パネル１３１を設ける場合、洗濯機１０の操作回路も蓋体１３の内部に収容することが好ましい。この場合、電源表示用補助発光部２０が領域Ａ１に配置されていれば、操作回路から電源表示用補助発光部２０への電源線や信号線を短くでき、配線が容易となるといったメリットがある。また、電源表示用補助発光部２０を蓋体１３の側面に設ける場合、電源表示用補助発光部２０を蓋体１３の周囲の装飾としても使用できる。
【００３０】
（２）領域Ａ２：蓋体１３裏面の前方付近を領域Ａ２とする。蓋体１３の裏面は、蓋体１３の開放時にユーザから見やすい位置となり、電源表示用補助発光部２０の配置領域として適している。
【００３１】
洗濯機１０の操作回路は、操作パネル１３１の裏側に配置されることが好ましく、すなわち蓋体１３の前方付近に備えられることが好ましい。この場合、電源表示用補助発光部２０が領域Ａ２に配置されていれば、操作回路の裏面に電源表示用補助発光部２０を取り付けることができ、電源表示用補助発光部２０の取付構造を最も簡略化できるといったメリットがある。
【００３２】
（３）領域Ａ３：蓋体１３裏面の後方付近を領域Ａ３とする。領域Ａ３は蓋体１３の開放時にユーザの目線に近い位置であり、電源表示用補助発光部２０が領域Ａ３に配置されていれば、ユーザから視認しやすくなる。また、電源表示用補助発光部２０が領域Ａ３に配置される場合も、操作回路から電源表示用補助発光部２０への電源線や信号線を短くでき、配線が容易となるといったメリットがある。
【００３３】
（４）領域Ａ４：上部筐体１２における洗濯物投入口の側方周辺（上部筐体１２の上面または洗濯物投入口の内面）を領域Ａ４とする。洗濯物投入口の周辺部分は、洗濯機１０への洗濯物の出し入れをするときにユーザから見やすい位置となり、電源表示用補助発光部２０の配置領域として適している。
【００３４】
（５）領域Ａ５：上部筐体１２における洗濯物投入口の後方周辺（洗濯物投入口の内面）を領域Ａ５とする。領域Ａ５は蓋体１３の開放時にユーザの目線に近い位置であり、電源表示用補助発光部２０が領域Ａ５に配置されていれば、ユーザから視認しやすくなる。
【００３５】
（６）領域Ａ６：上部筐体１２における洗濯物投入口の前方周辺（上部筐体１２の上面または前面））を領域Ａ５とする。領域Ａ６は、洗濯機１０の正面に立ったユーザから近い位置であり、洗濯機１０に近づいたユーザから見やすく、電源表示用補助発光部２０の配置領域として適している。
【００３６】
図３は、電源表示用補助発光部２０の構造例を示す断面図である。図３に示す電源表示用補助発光部２０は、発光素子２１（例えばＬＥＤ）を基板２２に取り付け、発光素子２１および基板２２を基板ケース２３とケースカバー２４とで構成されるパッケージ内に収容して防水した構造とされている。ケースカバー２４は透明プラスチックなどの透光性部材とされ、発光素子２１が点灯するときは、ケースカバー２４を通じて発光素子２１の点灯を視認することができる。また、電源表示用補助発光部２０のパッケージ内部には、発光素子２１の照射光を効率よく外部に向けるための反射部２５が設けられていてもよい。
【００３７】
本実施の形態１における電源表示用補助発光部２０は、洗濯槽の内部を照らす内部照明とは別途設けられるものであり、内部照明に比べて光量が十分に小さいものとされる。したがって、単に電源のオン／オフ状態を示すために大きな光量での点灯が行われることを回避でき、ユーザの不快感を軽減できるとともに、省エネルギの効果も得ることができる。尚、図２において、領域Ａ７は、内部照明の配置位置として適切な領域である。
【００３８】
〔実施の形態２〕
実施の形態１に係る洗濯機１０は、蓋体１３の上面に操作パネル１３１を設けた構成である。このような構成であっても、蓋体１３の開閉状態に関わらず洗濯機１０の電源をオン／オフできるように、洗濯機１０の本体筐体（好適には上部筐体１２）にも主電源スイッチ３０（図１，２参照）を備える必要がある。
【００３９】
主電源スイッチ３０は、ユーザにとって操作がしやすいように、通常、上部筐体１２の上面の前方側の一方の端部（図１，２では右端部）に設けられる。すなわち、主電源スイッチ３０は、蓋体１３の開放時にもユーザから見やすい位置にある。このため、本実施の形態２に係る洗濯機１０は、主電源スイッチ３０に特許請求の範囲に記載の補助表示部としての機能を兼用させるものである。
【００４０】
図４は、補助表示部としての機能を兼用する主電源スイッチ３０を示す平面図である。具体的には、主電源スイッチ３０の内部に発光領域３０Ａを設けたり、主電源スイッチ３０の周囲に発光領域３０Ｂを設けたりすることで、主電源スイッチ３０を電源表示用補助発光部として用いることができる。
【００４１】
図５は、主電源スイッチ３０の構造例を示す断面図であり、（ａ）は主電源スイッチ３０の内部に発光領域３０Ａを設ける場合、（ｂ）は主電源スイッチ３０の周囲に発光領域３０Ｂを設ける場合を示している。
【００４２】
図５（ａ）に示す主電源スイッチ３０では、発光素子３１（例えばＬＥＤ）およびプッシュスイッチ３２が基板３３に取り付けられ、基板３３の上面には発光素子３１およびプッシュスイッチ３２を覆うように弾性カバー部材３４が被せられる。発光素子３１、プッシュスイッチ３２、基板３３および弾性カバー部材３４は、基板ケース３５とケースカバー３６とで構成されるパッケージ内に収容され、これにより主電源スイッチ３０が防水構造とされている。
【００４３】
ケースカバー３６の一部（主電源スイッチ３０の操作領域に対応する箇所）は開口３６Ａとされ、ユーザがこの開口３６Ａから弾性カバー部材３４を押圧操作するとその力がプッシュスイッチ３２に伝わり、洗濯機１０の電源をオン／オフできるようになっている。尚、ケースカバー３６の開口３６Ａは、防水フィルム３７で覆われることで主電源スイッチ３０の防水構造が保たれるようになっている。
【００４４】
発光素子３１は開口３６Ａの直下に配置され、弾性カバー部材３４は少なくとも開口３６Ａに対向する箇所が透明プラスチックなどの樹脂で形成された透光性部材とされている。このため、図５（ａ）に示す主電源スイッチ３０では、発光素子３１が点灯するときは、弾性カバー部材３４および開口３６Ａを通じて発光素子３１の点灯を視認することができる。
【００４５】
図５（ｂ）に示す主電源スイッチ３０は、図５（ａ）に示す主電源スイッチ３０と類似した構成であるが、発光素子３１は開口３６Ａの直下ではなく、開口３６Ａの周辺箇所に配置されている。そして、弾性カバー部材３４は、発光素子３１に対向する箇所に開口３４Ａを有している。図５（ｂ）に示す主電源スイッチ３０では、ケースカバー３６は透明プラスチックなどの透光性部材とされ、発光素子３１が点灯するときは、開口３４Ａおよびケースカバー３６を通じて発光素子３１の点灯を視認することができる。
【００４６】
尚、図５（ａ），（ｂ）に例示した構造では、発光素子３１およびプッシュスイッチ３２が同一の基板３３に設けられているが、発光素子３１およびプッシュスイッチ３２はそれぞれ異なる基板に設けられていてもよい。
【００４７】
洗濯機１０に備えられる主電源スイッチ３０は、当然ながら防水構造を必要とするものである。そして、主電源スイッチ３０に補助表示部としての機能を兼用させる本実施の形態２の構成では、主電源スイッチ３０および補助表示部に対して、１つのパッケージにて同時に防水構造を得ることができる。すなわち、主電源スイッチ３０の防水構造の中に補助表示部を含めることができ、補助表示部のみの防水構造を設ける必要がないため、洗濯機１０における防水構造を簡略化することができる。
【００４８】
〔実施の形態３〕
本実施の形態３に係る洗濯機１０は、充電式付属装置４０（図１参照：以下、単に付属装置と称する）が搭載されていることを前提とし、上部筐体１２の後部上面には付属装置４０の充電部としても機能する保持部１２Ａが設けられている。すなわち、保持部１２Ａに未充電の付属装置４０を置いた場合に、付属装置４０に対して充電が行われるようになっている。付属装置４０の種類は特に限定されるものではないが、例えば、付属装置４０として超音波式部分洗浄器（例えば、シャープ製「超音波ウォッシャー」）を搭載することが考えられる。また、付属装置４０は、無接点充電方式によって充電されるものであることが好ましい。
【００４９】
保持部１２Ａに置かれた付属装置４０が充電を受けている場合は、洗濯機１０が運転状態（洗濯、すすぎ、あるいは脱水運転）でなくても、洗濯機１０は電源オン状態となっている。したがって、付属装置４０の充電中は、電源表示用補助発光部２０（もしくは主電源スイッチ３０）も、電源オン状態の表示となっている。しかしながら、洗濯機１０が運転状態でない場合、付属装置４０の充電によって洗濯機１０が電源オン状態となっていることは、ユーザにとって分かりにくいものである。通常の洗濯機は、運転の終了後に所定時間で電源がオフとなるオートパワーオフ機能を備えているが、付属装置４０の充電によって洗濯機１０の電源オン状態が継続していると、オートパワーオフ機能の異常であると誤解される恐れもある。尚、詳細な図示は省略するが、付属装置４０は装置表示部を有しており、この装置表示部には、例えば、充電時の付属装置４０における充電状態などの情報が表示される。しかしながら、蓋体１３が開放されているときには保持部１２Ａはユーザから見えなくなるものであり、このとき、付属装置４０の装置表示部もユーザから見えなくなる。
【００５０】
このため、本実施の形態３に係る洗濯機１０は、電源表示用補助発光部２０に付属装置４０の充電状態を表示する機能を付加したことを特徴とする。すなわち、電源表示用補助発光部２０は、付属装置４０の装置表示部が表示する情報の少なくとも一部分を表示する機能を有する。この機能を実現するために、電源表示用補助発光部２０は、付属装置４０の充電状態に応じて表示形態を異ならせる。電源表示用補助発光部２０における表示形態を異ならせる方法は特に限定されるものではないが、以下に、３つの方法（第１ないし第３の方法）を例示する。
【００５１】
（第１の方法）
電源表示用補助発光部２０として、複数の発光部（例えばＬＥＤ）を近接配置し、付属装置４０の充電状態に応じて点灯させる発光部の数を異ならせる。例えば、発光部の数を３個とする場合、付属装置４０の充電度が低い状態（例えば０〜４０％）では３個全ての発光部を点灯させ、付属装置４０の充電度が中程度の状態（例えば４１〜７０％）では２個の発光部を点灯させ、付属装置４０の充電度が高い状態（例えば７１〜９９％）では１個の発光部を点灯させる。
【００５２】
尚、第１の方法では、洗濯機１０が運転状態である場合は、付属装置４０の充電状態に関わらず、電源表示用補助発光部２０における複数の発光部の全てを点灯させるものとすればよい。そして、洗濯機１０が運転していない状態で付属装置４０の充電が完了した場合は、電源表示用補助発光部２０における複数の発光部の全てを消灯させるものとすればよい。すなわち、付属装置４０の充電完了と同時に、オートパワーオフ機能によって洗濯機１０の電源がオフとなるようにすればよい。
【００５３】
（第２の方法）
付属装置４０の充電状態に応じて電源表示用補助発光部２０の点灯（点滅）時間を異ならせる。例えば、付属装置４０の充電度が低い状態（例えば０〜４０％）では電源表示用補助発光部２０を常時点灯させ、付属装置４０の充電度が中程度の状態（例えば４１〜７０％）では電源表示用補助発光部２０を低速で点滅（例えば、２〜３秒に１回）させ、付属装置４０の充電度が高い状態（例えば７１〜９９％）では電源表示用補助発光部２０を高速で点滅（例えば、１秒間に２〜３回）させる。
【００５４】
尚、第２の方法では、洗濯機１０が運転状態である場合は、付属装置４０の充電状態に関わらず、電源表示用補助発光部２０を常時点灯させるものとすればよい。そして、洗濯機１０が運転していない状態で付属装置４０の充電が完了した場合は、電源表示用補助発光部２０を消灯させるものとすればよい。
【００５５】
（第３の方法）
電源表示用補助発光部２０として、発光色を複数の色で切替可能な発光部を用い、付属装置４０の充電状態に応じて電源表示用補助発光部２０の発光色を異ならせる。例えば、付属装置４０の充電度が低い状態（例えば０〜５０％）では電源表示用補助発光部２０を橙色で点灯させ、付属装置４０の充電度が高い状態（例えば５１〜９９％）では電源表示用補助発光部２０を白色で点灯させる。
【００５６】
尚、第３の方法では、洗濯機１０が運転状態である場合は、付属装置４０の充電状態に関わらず、電源表示用補助発光部２０を橙色点灯（充電度が低い状態と同じ表示）させるものとすればよい。尚、洗濯機が運転状態である場合の表示は、特に限定されるものではなく、白色点灯（充電度が高い状態と同じ表示）としてもよい。洗濯機１０が運転していない状態で付属装置４０の充電が完了した場合は、電源表示用補助発光部２０を消灯させるものとすればよい。
【００５７】
本実施の形態３に係る洗濯機１０では、上述した第１ないし第３の方法の何れを用いても、付属装置４０の充電状態に応じて電源表示用補助発光部２０の表示状態を異ならせることで、ユーザは付属装置４０の充電が行われていることを認識しやすくなる。また、付属装置４０の充電度がどの程度であるかも容易に認識でき、洗濯機１０におけるユーザの使い勝手が向上する。
【００５８】
また、本実施の形態に係る洗濯機１０では、内部照明を電源表示用補助発光部２０として兼用してもよい。この場合、電源表示用補助発光部２０の配置箇所は、内部照明としての利用も可能な位置にされる必要があり、例えば、上部筐体１２における洗濯物投入口の後方内面下部（図２に示す領域Ａ７）などが適切である。また、この場合の内部照明は、洗濯槽の照明として用いる場合と電源表示用補助発光部２０として用いる場合とで、照度を変更できるようにすることが好ましい。すなわち、ユーザが蓋体１３を開いた直後など、洗濯槽の照明が必要な期間は、内部照明は、その照度を上げることで照明として使用できる。そして、一定時間（例えば、数分間）の経過後、すなわち、照明としての使用終了後は、内部照明は、その照度を下げることで電源表示用補助発光部２０として使用することができる。
【００５９】
このように、内部照明を電源表示用補助発光部２０として兼用する場合、照明としての使用終了後に照度を下げることで、付属装置４０の充電によって電源表示用補助発光部２０の点灯が維持される場合であっても、大きな光量での点灯が維持されることはなく、ユーザの不快感を軽減できるとともに、省エネルギの効果も得ることができる。
【００６０】
〔変形例〕
上記実施の形態１〜３では、洗濯機１０として、蓋体１３が上蓋である縦型洗濯機を例示した。しかしながら、本発明はこれに限定されるものではなく、ドラム型洗濯機にも本発明は適用可能である。ドラム型洗濯機は、蓋体として上蓋ではなく前扉を有するものであるが、前扉に操作パネルを設ける場合もある。ドラム型洗濯機の前扉に操作パネルを設けた場合も、前扉の開放時には操作パネルがユーザから視認しにくくなる。すなわち、ドラム型洗濯機であっても、例示した縦型洗濯機と同様の課題が生じるものであり、この課題を解決するために本発明の適用は有効である。
【００６１】
また、上記実施の形態３で説明した構成、すなわち、内部照明を電源表示用補助発光部２０として兼用する構成は、蓋体１３が折り畳み式の蓋である場合に適用することも可能である。折り畳み式の蓋体１３に操作パネル１３１を設ける場合は、蓋体１３の開放時にも操作パネル１３１は視認可能となるため、操作パネル１３１において付属装置４０の充電状態を表示することができる。但し、操作パネル１３１がタッチパネルなどの場合は、その表示内容は離れた位置からは分かりにくい。これに対して、内部照明を電源表示用補助発光部２０として兼用すれば、離れた位置からも付属装置４０の充電状態が認識しやすくなる。
【００６２】
また、本発明に係る洗濯機は、以下のような態様として記載することもできる。本発明の第３の態様に係る洗濯機は、操作パネルが設けられた一体物の蓋体を有する洗濯機であって、前記蓋体の開放時であっても当該洗濯機の正面方向から視認できる領域に、当該洗濯機の電源のオン／オフ状態を表示する電源表示用補助発光部が少なくとも１つ設けられているものであってもよい。
【００６３】
上記の構成によれば、蓋体が開放されてユーザから操作パネルが見えない状態であっても、ユーザは、電源表示用補助発光部によって洗濯機の電源のオン／オフ状態を確認することができる。
【００６４】
また、上記洗濯機では、前記電源表示用補助発光部は、当該洗濯機の電源オン状態で点灯され、電源オフ状態で消灯されるＬＥＤを備えている構成とすることができる。
【００６５】
上記の構成によれば、ＬＥＤはその照度を小さく抑えることが容易であり、単に電源のオン／オフ状態を示すために大きな光量での点灯が行われることを回避でき、ユーザの不快感を軽減できるとともに、省エネルギの効果も得ることができる。
【００６６】
また、上記洗濯機は、本体筐体に主電源スイッチが設けられており、前記主電源スイッチが、前記電源表示用補助発光部の機能を有している構成とすることができる。
【００６７】
上記の構成によれば、主電源スイッチの防水構造の中に電源表示用補助発光部を含めることができ、電源表示用補助発光部のみの防水構造を設ける必要がないため、洗濯機における防水構造を簡略化することができる。
【００６８】
また、上記洗濯機は、充電式付属装置を充電するための充電部を備えており、前記電源表示用補助発光部は、前記充電式付属装置の充電状態を表示する機能を有している構成とすることができる。
【００６９】
上記の構成によれば、ユーザは電源表示用補助発光部によって充電式付属装置の充電が行われていることを認識しやすくなり、また、充電式付属装置の充電度がどの程度であるかも認識できるため、洗濯機におけるユーザの使い勝手が向上する。
【００７０】
また、上記洗濯機では、前記電源表示用補助発光部は、前記充電式付属装置の充電状態に応じて表示形態を異ならせる構成とすることができる。
【００７１】
上記の構成によれば、充電式付属装置の充電状態に応じて、例えば、点灯させる発光部の数や点滅状態や色調などの表示形態を異ならせることで、ユーザは充電式付属装置の充電状態を容易に認識できるようになる。
【００７２】
また、上記洗濯機では、前記電源表示用補助発光部は、洗濯槽の内部を照らす内部照明の機能を兼用するものであり、内部照明としても使用されるときは照度を上げ、内部照明として使用されずに電源オン状態を示すために点灯されるときには照度が下げられる構成とすることができる。
【００７３】
上記の構成によれば、内部照明を電源表示用補助発光部として兼用する場合、照明としての使用終了後には照度を下げることで、例えば、充電式付属装置の充電によって電源表示用補助発光部の点灯が維持される場合であっても、大きな光量での点灯が維持されることはなく、ユーザの不快感を軽減できるとともに、省エネルギの効果も得ることができる。
【００７４】
今回開示した実施形態は全ての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内での全ての変更が含まれる。
【符号の説明】
【００７５】
１０    洗濯機
１１    下部筐体（本体筺体）
１２    上部筐体（本体筺体）
１２Ａ    保持部
１３    蓋体
１３１    操作パネル（表示部）
２０    電源表示用補助発光部（補助表示部）
２１，３１    発光素子
２２，３３    基板
２３，３５    基板ケース
２４，３６    ケースカバー
３０    主電源スイッチ（補助表示部）
３２    プッシュスイッチ
４０    充電式付属装置（付属装置）
【図１】
2020175012.tif 000003
【図２】
2020175012.tif 000004
【図３】
2020175012.tif 000005
【図４】
2020175012.tif 000006
【図５】
2020175012.tif 000007